(57)【要約】【課題】従来よりも少ない測定労力で従来よりも高い測定精度を提供する。【解決手段】本発明は、プロジェクタ及び１個以上のカメラを備えた３Ｄセンサを用いて対象物の３次元デジタル化を行う方法及び装置であって、該プロジェクタを用いて該対象物上にパターンを投影し、該１個以上のカメラを用いて該パターンを検出する、３次元デジタル化を行う方法及び装置に関する。本発明によると、該方法及び装置は、少なくとも３つの基準マーク及び／又は基準ラスタを、該３Ｄセンサを用いて該対象物上に投影し、２個以上の較正された外部デジタルカメラを用いて検出することを特徴とする。【選択図】図２
2009069146.tif 000002
【特許請求の範囲】
【請求項１】
プロジェクタ及び１個以上のカメラを有する３Ｄセンサ（１０）を用いて、前記プロジェクタによって前記対象物（２）上にパターンを投影し、１個以上の前記カメラによって前記パターンを検出する、対象物（２）の３次元デジタル化を行う方法であって、
前記３Ｄセンサ（１０）を用いて、少なくとも３つの基準マーク（１４）及び／又は基準ラスタを前記対象物（２）上に投影し、
２個以上の外部デジタルカメラ（１２）を用いて、前記基準マーク（１４）又は前記基準ラスタを検出することを特徴とする方法。
【請求項２】
請求項１に記載の方法において、
前記外部デジタルカメラは、少なくとも３つの前記基準マーク又は前記基準ラスタを同時に検出する
ことを特徴とする方法。
【請求項３】
請求項１又は２に記載の方法において、
前記基準マーク又は前記基準ラスタの投影を、前記３Ｄセンサの前記プロジェクタ内に設けられたイメージング素子を用いて行う
ことを特徴とする方法。
【請求項４】
請求項１乃至３のいずれか１つに記載の方法において、
前記基準マーク又は前記基準ラスタの投影において輝度及び／又は形状を変更することによって測定精度を最適化する
ことを特徴とする方法。
【請求項５】
請求項１乃至４のいずれか１つに記載の方法において、
前記基準マーク又は前記基準ラスタの投影を、デジタル化しようとする対象物の平坦な領域において行う
ことを特徴とする方法。
【請求項６】
請求項１乃至５のいずれか１つに記載の方法において、
前記３Ｄセンサを用いて対象物の局所対象物データを測定する工程と、
前記局所対象物データから、平坦で且つ前記プロジェクタの光軸に対して垂直な、対象物上の対象領域を選択する工程と、
選択された前記対象領域上に前記基準マーク又は前記基準ラスタを投影する工程と
を包含することを特徴とする方法。
【請求項７】
請求項１乃至６のいずれか１つに記載の方法において、
前記基準マーク又は前記基準ラスタの形状を、前記対象物上に投影された前記基準マーク又は前記基準ラスタが所望の形状となるように、前記局所対象物データの測定時に補正する
ことを特徴とする方法。
【請求項８】
請求項１乃至７のいずれか１つに記載の方法において、
前記投影された基準マーク又は基準ラスタのサイズを、外部デジタルカメラ及び／又は前記３Ｄセンサの１個以上のカメラの解像度に合わせて調整する
ことを特徴とする方法。
【請求項９】
請求項１乃至８のいずれか１つに記載の方法において、
前記基準マーク又は前記基準ラスタの輝度を変調し、
前記基準マーク又は前記基準ラスタの検出を、前記外部カメラの画像シーケンスを用いて行う
ことを特徴とする方法。
【請求項１０】
請求項１乃至９のいずれか１つに記載の方法において、
前記基準マーク又は前記基準ラスタを、識別コードと共に投影し、
前記識別コードを、前記基準マーク又は前記基準ラスタの輝度の空間的及び／若しくは時間的な変調、並びに／又は形状の時間的な変調によって変調する
ことを特徴とする方法。
【請求項１１】
プロジェクタ及び１個以上のカメラを有する３Ｄセンサ（１０）を備え、前記プロジェクタによって前記対象物（２）上にパターンを投影し、１個以上の前記カメラによって前記パターンを検出する、対象物（２）の３次元デジタル化を行う装置であって、
前記３Ｄセンサ（１０）は、少なくとも３つの基準マーク（１４）及び／又は基準ラスタを前記対象物（２）上に投影するように構成され、
前記基準マーク（１４）又は前記基準ラスタを検出する２個以上の外部デジタルカメラ（１２）をさらに備えていることを特徴とする装置。
【請求項１２】
請求項１１に記載の装置において、
前記３Ｄセンサのプロジェクタは、前記基準マーク又は前記基準ラスタの投影のためのイメージング素子を有している
ことを特徴とする装置。
【請求項１３】
請求項１１又は１２に記載の装置において、
前記３Ｄセンサは、投影された前記基準マーク又は前記基準ラスタの輝度及び／又は色及び／又は形状を変更するように構成されている
ことを特徴とする装置。
【請求項１４】
請求項１１〜１３のいずれかに記載の装置において、
前記３Ｄセンサは、前記基準マーク又は前記基準ラスタを識別コードと共に投影するように構成されている
ことを特徴とする装置。
【発明の詳細な説明】
【技術分野】
【０００１】
本発明は、プロジェクタを用いて対象物上にパターンを投影し、このパターンを１個以上のカメラで検出する、対象物を３次元デジタル化する方法及び装置に関する。
【背景技術】
【０００２】
プロジェクタ及びカメラは、通常、いわゆる３Ｄセンサ内に構造的に一体化されている。具体的には、白色光ストリップ投影によるデジタル化が既に公知である。この方法において、プロジェクタは、デジタル化しようとする対象物上にストリップ状の画像を投影する。このストリップ状の画像を、１個以上のカメラにより検出する。それより、局所対象物データ、つまり、３Ｄセンサの局所座標系（local coordinate  system）における３次元対象物の表面形状が測定され得る。対象物の完全なデジタル化又は大面積に亘るデジタル化を実現するため、３Ｄセンサを異なる記録位置に規則的に移動させる必要があり、且つ、個々の記録位置における局所対象物データを全体座標系（global ccordinate system）において組み合わせて、具体的には、個々の記録位置における測定結果を、測定された全領域についての全体の測定結果として組み合わせることができるようにする必要がある。このため、全体座標系における、個々の記録位置を正確に検出する必要がある。
【０００３】
白色光ストリップ投影において、通常、基準マークの写真測量によって、個々の記録位置の全域における検出が実施される。基準マークは、デジタル化しようとする対象物に取り付けられるか又は固定され、写真測量システムを用いて個々に測定される。３Ｄセンサを用いた測定の前に基準マークの写真測量測定を行うことにより、１組の基準点が提供され、これにより、個々の記録位置における３Ｄセンサの局所測定を、同一の全体座標系へと変換できる。
【発明の開示】
【発明が解決しようとする課題】
【０００４】
基準マークの写真測量測定は高い精度を提供するが、マーク付きの対象物を準備する労力を要する点及び個々に測定動作を行う必要がある点で不利である。
【０００５】
あるいは、デジタル化しようとする対象物上に、外部の独立したプロジェクタによって投影された基準マークも用いられる。しかし、このことは、投影されたマークの形状が対象物の表面形状の影響を受けるので、固定されたマークと比較して精度の点で劣るという欠点がある。
【０００６】
このような背景を鑑み、本発明の目的は、対象物の３次元デジタル化を行うための改良された方法及び改良された装置を提案することである。具体的には、本発明の方法及び装置は、従来よりも少ない測定労力で従来よりも高い測定精度を提供するものである。
【課題を解決するための手段】
【０００７】
本発明によると、この目的は、請求項１の特徴を備えた方法によって解決される。好適な構成は、従属請求項から採用され得る。
【０００８】
本発明の方法において、対象物の３次元デジタル化は、プロジェクタ及び１個以上のカメラを備えた３Ｄセンサによって行われる。プロジェクタによって、デジタル化しようとする対象物上にパターンが投影される。このパターンは、３Ｄセンサの１個以上のカメラを用いて検出される。本発明の方法は、３Ｄセンサ、好適には３Ｄセンサのプロジェクタが、デジタル化しようとする対象物上に、少なくとも３つの基準マーク及び／又は基準ラスタを投影することを特徴とする。これらの基準マーク又は基準ラスタは、２個以上の外部デジタルカメラを用いて検出される。この外部デジタルカメラは、３Ｄセンサの外側に設けられている。つまり、具体的には、３Ｄセンサ内に一体化されてもなく、３Ｄセンサに構造的に固定的に結合されてもない。むしろ、外部デジタルカメラの空間位置は、３Ｄセンサの空間位置から独立している。
【０００９】
さらに、外部デジタルカメラは較正、すなわち、測定できるように目盛付けされている。つまり、これらのカメラの内部的な幾何学的位置（orientation）と外部的な幾何学的位置（orientation）とが既知である。したがって、全体座標系におけるこれらのカメラの空間位置（外部的な幾何学的位置）及びカメラの画像化特性（内部的な幾何学的位置）は、その両方が既知である。その結果、全体座標系における基準マーク又は基準ラスタの３次元位置は、較正された外部デジタルカメラによって測定され得る。局所座標系から全体座標系への変換には、両座標系において既知である少なくとも３つの基準点が必要である。したがって、少なくとも３つの基準マークが必要であり、これら基準マークは外部デジタルカメラ及びセンサのカメラを用いて測定される。或いは、少なくとも３つの基準点を提供するような基準ラスタ（raster）を用いることもできる。１つ又は２つの基準マークを基準ラスタに組み合わせること、又は、少なくとも３つの基準点を提供するそれ以外の任意の、基準マーク及び／若しくは基準ラスタの組み合わせも可能である。
【００１０】
本発明の方法では、写真測量マークを用いてデジタル化しようとする対象物を別個に準備することが不用である。そうではなく、基準マーク又は基準ラスタも、３Ｄセンサ、好適には３Ｄセンサのプロジェクタによって投影される。投影された基準マーク又は基準ラスタは、３Ｄセンサの全ての記録位置において、全体座標系における３次元位置に配置された外部デジタルカメラによって測定することができ、３Ｄセンサの個々の測定値から得た局所対象物データを全体座標系に変換するために用いることができる。したがって、本発明の方法は、基準マークを別個に取り付けること又は外部プロジェクタを用いて基準マークを別個に投影することを省略できるという決定的な利点を提供する。
【００１１】
本発明の好適な構成において、複数の基準マーク又は基準ラスタの検出は、外部デジタルカメラを用いて同時に行われる。これにより、特にデジタル化しようとする対象物が振動などのために動いている場合に、測定精度が向上する。
【００１２】
別の好適な構成において、基準マーク又は基準ラスタの投影は、３Ｄセンサのプロジェクタ内に設けられたイメージング素子によって行われる。好ましくは、スライド、デジタル投影素子、透過型ＬＣＤディスプレイ、ミラーアレイ及び／又はＬＣＯＳディスプレイを、イメージング素子として使用する。
【００１３】
別の好適な構成によると、基準マーク又は基準ラスタの投影において、輝度及び／又は色及び／又は形状を変更することができる。好ましくは、この変更は、測定精度が向上及び／又は最適化されるように行われる。測定精度の向上は、具体的には、外部デジタルカメラ及び３Ｄセンサのカメラで基準マーク又は基準ラスタの位置をより正確に検出することによって達成される。基準マーク又は基準ラスタの形状の変更により、例えば、円形のマーク、交差状のマーク、又は異なる長さで延びたラスタ線が提供され得る。
【００１４】
別の好適な構成において、基準マーク又は基準ラスタは、デジタル化しようとする対象物のできるだけ平坦な領域内に投影される。その結果、投影された基準マーク又は基準ラスタの歪みが緩和又は除去され、それらの検出精度が向上し得る。好ましくは、以下の処理手順による。始めに、３Ｄセンサの或る記録位置において、局所対象物データ、つまり３Ｄセンサの局所座標系における対象物の表面形状を測定する。これらの局所対象物データを用いて、デジタル化しようとする対象物の、できるだけ平坦で且つプロジェクタの光軸に対して垂直な領域を選択する。その後、基準マーク又は基準ラスタを選択された対象領域内に投影する。そのような好適な方法は、具体的には、パターン並びに基準マーク又は基準ラスタの両方を投影する３Ｄセンサ内のデジタルプロジェクタを用いて実現され得る。
【００１５】
別の好適な構成において、基準マーク又は基準パターンの形状は、対象物上におけるその形状ができるだけ所望の形状となるように、局所対象物データの測定時に補正される。この構成によって、測定精度をより向上させることができる。
【００１６】
別の好適な構成において、投影された基準マーク又は基準ラスタのサイズは、外部デジタルカメラ及び／又は３Ｄセンサの１個以上のカメラの解像度に合わせて調整される。
【００１７】
別の好適な構成において、基準マーク又は基準ラスタの輝度を時間領域内で変調し、外部デジタルカメラの画像シーケンスを用いて基準マーク又は基準ラスタを検出する。その結果、外部デジタルカメラによる検出精度を向上させることができる。
【００１８】
別の好適な構成において、基準マーク又は基準ラスタに識別コードが設けられる。好適には、識別コードは、基準マーク又は基準ラスタの輝度の空間的及び／若しくは時間的な変調によって変調され得る。あるいは、識別コードは、基準マーク又は基準ラスタの形状の時間的な変調によって変調され得る。
【００１９】
本発明によると、上記目的はさらに、請求項１１の特徴を備えた装置によって達成される。当該装置の好適な構成は、関連する従属請求項から得られる。
【００２０】
本発明による装置は、パターンを投影するプロジェクタ及び１個以上のカメラを有する３Ｄセンサを備えており、３Ｄセンサは、具体的には、デジタル化しようとする対象物上に、少なくとも３つの基準マーク及び／又は基準ラスタを該パターンと共に投影可能であることを特徴とする。パターンを投影するプロジェクタは、好適には、基準マーク及び／又は基準ラスタを投影するように構成されている。さらに、本発明に係る装置は、基準マーク及び／又は基準ラスタが検出できるように、２個以上の較正された外部デジタルカメラを備えている。
【発明を実施するための最良の形態】
【００２１】
以下、本発明の一実施形態について、図面を参照しつつ詳細に説明する。
【００２２】
図１は、対象物すなわち自動車のフェンダー２の３次元デジタル化又は測定を行う場合の、本発明の実施形態に係る装置１を示す。装置１は、パターンプロジェクタ及び２個のカメラが一体化された３Ｄセンサ１０を備えている。パターンプロジェクタは、測定領域１６内において、白色光のストリップ状のパターンを投影する一方で、４つの基準マーク１４を投影する。３Ｄセンサ１０は、２個のカメラを用いて、３Ｄセンサの局所座標系において、測定領域１６内の３次元局所対象物データ、つまり、フェンダー部１６の３次元表面形状を検出する。さらに、３Ｄセンサは、３Ｄセンサの局所座標系における基準マーク１４の３次元位置を検出する。さらに、図１に示す本装置１は、３個の外部デジタルカメラ１２を備えている。外部デジタルカメラ１２の空間位置は、３Ｄセンサ１０の空間位置から独立している。具体的には、３Ｄセンサ１０を新たな記録位置に移動しても、外部デジタルカメラ１２の空間位置は維持され得る。外部デジタルカメラは較正されている。すなわち、外部デジタルカメラは、測定できるように目盛付けされている。つまり、外部デジタルカメラの外部的な幾何学的位置及び内部的な幾何学的位置が既知である。具体的には、全体座標系における３個の外部デジタルカメラの空間位置及びそれらの画像化特性が既知である。３個の外部デジタルカメラは、全体座標系における基準マークの３次元位置を検出する。したがって、全体座標系及び３Ｄセンサの局所座標系の両方において、基準マークの３次元座標の測定が可能である。これにより、さまざまな記録位置で測定された局所対象物データを全体座標系に変換することが可能になり、ひいては、さまざまな記録位置で実行された個々の測定値を組み合わせて、全体の測定結果を得ることが可能になる。
【００２３】
図２は、本発明による方法の一実施形態の概要の流れを示す。工程Ｓ１において、３Ｄセンサは、所定の記録位置に配置される。工程Ｓ２において、３Ｄセンサがカバーする測定領域１６において、局所座標系（ＬＣＳ）における３次元対象物データが測定される。例えば、測定領域内に位置する部材表面に対して、局所座標系での３次元測定を行う。工程Ｓ３において、局所座標系における３つの基準マークについての最適な位置が、工程Ｓ２において判定された局所対象物データを用いて判定される。さらに、基準マークが、これらの最適位置上に投影される。工程Ｓ４において、３Ｄセンサの局所座標系における基準マークの３次元位置が測定される。工程Ｓ５において、全体座標系（ＧＣＳ）における基準マークの３次元位置が、外部デジタルカメラによって測定される。工程Ｓ６において、工程Ｓ２での測定から得られた局所３次元対象物データが、局所座標系から全体座標系へと変換される。工程Ｓ７において、測定動作全体が終了したかどうか又は別の記録位置においてさらなる測定を行う必要があるかどうかを判定する。工程Ｓ７においてＮｏである場合、３Ｄセンサが再配置され、工程Ｓ１〜Ｓ７が再度実行される。工程Ｓ７においてＹｅｓである場合、全体の測定動作が終了する。
【００２４】
本発明を用いることにより、多数の利点が得られる。具体的には、従来よりも少ない労力で、測定精度を向上させることができる。
【図面の簡単な説明】
【００２５】
【図１】図１は、３Ｄセンサ及び外部デジタルカメラを備えた本発明の一実施形態に係る装置を示す図である。
【図２】図２は、本発明の一実施形態に係る方法の概要の流れを示す図である。
【符号の説明】
【００２６】
２      フェンダー（対象物）
１０    ３Ｄセンサ
１２    外部デジタルカメラ
１４    基準マーク
【図１】
2009069146.tif 000003
【図２】
2009069146.tif 000004